(57)【要約】【課題】専門家または個人ユーザが、電子画像等を編集し、印刷用紙にその電子画像等を印刷した場合に、その印刷された印刷用紙を冊子とするために容易にかつ短時間に取り付け可能で、利便性のある冊子用表紙の作成方法及び冊子用表紙キットを提供する。【解決手段】表面に印刷の施された表紙用カバーシール２を有する表紙用カバーシート１の裏面の剥離紙の一部を剥がして粘着層３を露出させて表紙用芯材２１を置き、第１側片部７ａ及び第２側片部７ｃを剥がして、表紙用芯材２１の第１表紙部材２２、背表紙部材２３、第２表紙部材２４の全面を表紙用カバーシート１の粘着層３によって接着固定する。表紙用カバーシール２の外周領域を内側へ折り曲げ、冊子用表紙２０を作成する。【選択図】図６
2006289649.tif 000002
【特許請求の範囲】
【請求項１】
裏面に粘着層が形成された表紙用カバーシールと、その表紙用カバーシールの裏面側に前記粘着層を挟んで前記表紙用カバーシールと剥離可能に接着され、一方の端辺から他方の端辺に長手方向に沿って形成された少なくとも２つに分離して剥離可能な分断部を有する剥離紙と、を備える表紙用カバーシートと、
冊子の背表紙となる背表紙部材と、その背表紙部材との間に間隙を隔てて隣接する第１表紙部材と、前記背表紙部材の前記第１表紙部材と反対側に間隙を隔てて隣接する第２表紙部材と、これら背表紙部材、第１表紙部材、及び第２表紙部材と分離可能にされた枠体とを有する表紙用芯材と、を用意し、
前記剥離紙の一部を剥がして、前記表紙用芯材の第１面に前記表紙用カバーシートを重ねて配置し、前記第１表紙部材、前記第２表紙部材、前記背表紙部材を前記表紙用カバーシールの前記粘着層によって粘着させて固定して残余の前記枠体を外し、さらに残余の前記剥離紙を剥離した後、前記表紙用カバーシールによって前記第１表紙部材、前記第２表紙部材、及び前記背表紙部材を被って一体として冊子用表紙とすることを特徴とする冊子用表紙の作成方法。
【請求項２】
予め印刷が施されている前記表紙用カバーシートを、前記剥離紙の一部を剥がして、前記表紙用芯材の第１面に重ねて配置する請求項１に記載の冊子用表紙の作成方法。
【請求項３】
両面に粘着層が形成された基体シートと、その基体シートの第１面に、前記粘着層を挟んで前記基体シートと剥離可能に接着され、一方の端辺から他方の端辺に長手方向に沿って形成され、少なくとも２つに分離して剥離可能な分断部を有する第１剥離紙と、前記基体シートの第２面に、前記粘着層を挟んで前記基体シートと剥離可能に接着され、一方の端辺から他方の端辺に長手方向に沿って形成され、少なくとも２つに分離して剥離可能な分断部を有する第２剥離紙と、を備える両面粘着シートと、
表紙用カバーと、
冊子の背表紙となる背表紙部材と、その背表紙部材との間に間隙を隔てて隣接する第１表紙部材と、前記背表紙部材の前記第１表紙部材と反対側に間隙を隔てて隣接する第２表紙部材と、これら背表紙部材、第１表紙部材、及び第２表紙部材と分離可能にされた枠体とを有する表紙用芯材と、を用意し、
前記第１剥離紙の一部を剥がして前記表紙用カバーを前記基体シートに固定した後、残余の前記第１剥離紙を剥がして前記表紙用カバー全体を前記基体シートに固定し、
その後、又はその前に、前記第２剥離紙の一部を剥がして、前記表紙用芯材の第１面に前記両面粘着シートを重ねて配置し、前記第１表紙部材、前記第２表紙部材、前記背表紙部材を前記基体シートの前記粘着層によって粘着させて固定して残余の枠体を外し、
さらに残余の前記第２剥離紙を剥離して前記表紙用カバー及び前記基体シートによって前記第１表紙部材、前記第２表紙部材、及び前記背表紙部材を被って一体として冊子用表紙とすることを特徴とする冊子用表紙の作成方法。
【請求項４】
前記表紙用芯材の第１表紙部材、前記第２表紙部材、前記背表紙部材を前記基体シートの前記粘着層によって粘着させて固定して残余の枠体を外した後に、前記表紙用カバー及び前記基体シートによって前記第１表紙部材、前記第２表紙部材、及び前記背表紙部材を被うために、前記表紙用カバーと前記基体シートとを一体としてそれぞれの四隅をカットし、残余の前記剥離紙を剥離して前記表紙用カバー及び前記基体シートによって前記第１表紙部材、前記第２表紙部材、及び前記背表紙部材を被って一体として冊子用表紙とする請求項３に記載の冊子用表紙の作成方法。
【請求項５】
表面に印刷が施されることが予定され、裏面に粘着層が形成された表紙用カバーシールと、その表紙用カバーシールの裏面側に前記粘着層を挟んで前記表紙用カバーと剥離可能に接着され、一方の端辺から他方の端辺に長手方向に沿って形成され、少なくとも２つに分離して剥離可能な分断部を有する剥離紙と、を備える表紙用カバーシートと、
冊子の背表紙となる背表紙部材と、その背表紙部材との間に間隙を隔てて隣接する第１表紙部材と、前記背表紙部材の前記第１表紙部材と反対側に間隙を隔てて隣接する第２表紙部材と、これら背表紙部材、第１表紙部材、及び第２表紙部材と分離可能にされた枠体とを有する表紙用芯材と、を含み、
前記剥離紙の一部を剥がして、前記表紙用芯材の第１面に前記表紙用カバーシートを重ねて配置し、前記第１表紙部材、前記第２表紙部材、前記背表紙部材を前記表紙用カバーシールの前記粘着層によって粘着させて固定して残余の前記枠体を外し、さらに残余の前記剥離紙を剥離した後、前記表紙用カバーシールによって前記第１表紙部材、前記第２表紙部材、及び前記背表紙部材を被って一体として冊子用表紙とすることが予定されたことを特徴とする冊子用表紙キット。
【請求項６】
前記表紙用カバーシートの前記剥離紙は、一方の端辺から他方の端辺に長手方向に沿って中央領域に形成された中央帯部と、前記中央帯部の両側に第１側片部、第２側片部とを有する請求項５に記載の冊子用表紙キット。
【請求項７】
前記表紙用カバーシートの前記表紙用カバーシールは、四隅の角部それぞれがカットされた請求項５または６に記載の冊子用表紙キット。
【請求項８】
両面に粘着層が形成された基体シートと、その基体シートの第１面に、前記粘着層を挟んで前記基体シートと剥離可能に接着された第１剥離紙と、前記基体シートの第２面に、前記粘着層を挟んで前記基体シートと剥離可能に接着され、一方の端辺から他方の端辺に長手方向に沿って形成され、少なくとも２つに分離して剥離可能な分断部を有する第２剥離紙と、を備える両面粘着シートと、
冊子の背表紙となる背表紙部材と、その背表紙部材との間に間隙を隔てて隣接する第１表紙部材と、前記背表紙部材の前記第１表紙部材と反対側に間隙を隔てて隣接する第２表紙部材と、これら背表紙部材、第１表紙部材、及び第２表紙部材と分離可能にされた枠体とを有する表紙用芯材と、を含み、
前記第１剥離紙を剥がして前記表紙用カバーを前記基体シートに固定し、
その後、又はその前に、前記第２剥離紙の一部を剥がして、前記表紙用芯材の第１面に前記両面粘着シートを重ねて配置し、前記第１表紙部材、前記第２表紙部材、前記背表紙部材を前記基体シートの前記粘着層によって粘着させて固定して残余の枠体を外し、
さらに残余の前記第２剥離紙を剥離して前記表紙用カバー及び前記基体シートによって前記第１表紙部材、前記第２表紙部材、及び前記背表紙部材を被って一体として冊子用表紙とすることが予定されたことを特徴とする冊子用表紙キット。
【請求項９】
両面に粘着層が形成された基体シートと、その基体シートの第１面に、前記粘着層を挟んで前記基体シートと剥離可能に接着され、一方の端辺から他方の端辺に長手方向に沿って形成され、少なくとも２つに分離して剥離可能な分断部を有する第１剥離紙と、前記基体シートの第２面に、前記粘着層を挟んで前記基体シートと剥離可能に接着され、一方の端辺から他方の端辺に長手方向に沿って形成され、少なくとも２つに分離して剥離可能な分断部を有する第２剥離紙と、を備える両面粘着シートと、
冊子の背表紙となる背表紙部材と、その背表紙部材との間に間隙を隔てて隣接する第１表紙部材と、前記背表紙部材の前記第１表紙部材と反対側に間隙を隔てて隣接する第２表紙部材と、これら背表紙部材、第１表紙部材、及び第２表紙部材と分離可能にされた枠体とを有する表紙用芯材と、を含み、
前記第１剥離紙の一部を剥がして表紙用カバーを前記基体シートに固定した後、残余の前記第１剥離紙を剥がして前記表紙用カバー全体を前記基体シートに固定し、
その後、又はその前に、前記第２剥離紙の一部を剥がして、前記表紙用芯材の第１面に前記両面粘着シートを重ねて配置し、前記第１表紙部材、前記第２表紙部材、前記背表紙部材を前記基体シートの前記粘着層によって粘着させて固定して残余の枠体を外し、
さらに残余の前記第２剥離紙を剥離して前記表紙用カバー及び前記基体シートによって前記第１表紙部材、前記第２表紙部材、及び前記背表紙部材を被って一体として冊子用表紙とすることが予定されたことを特徴とする冊子用表紙キット。
【請求項１０】
前記両面粘着シートの第１剥離紙は、一方の端辺から他方の端辺に長手方向に沿って中央領域に形成された中央帯部と、前記中央帯部の両側に第１側片部、第２側片部とを有する請求項９項に記載の冊子用表紙キット。
【請求項１１】
前記両面粘着シートの第２剥離紙は、一方の端辺から他方の端辺に長手方向に沿って中央領域に形成された中央帯部と、前記中央帯部の両側に第１側片部、第２側片部とを有する請求項８ないし１０のいずれか１項に記載の冊子用表紙キット。
【請求項１２】
前記両面粘着シートに接着されることが予定された表紙用カバーを含む請求項８ないし１１のいずれか１項に記載の冊子用表紙キット。
【請求項１３】
前記両面粘着シートは、四隅の角部に、それぞれの角部をカットするカット線部が形成された請求項８ないし１２のいずれか１項に記載の冊子用表紙キット。
【請求項１４】
両面に粘着層が形成された基体材と、その基体材の第１面に、前記粘着層を挟んで前記基体材と剥離可能に接着され、その基体材よりも長手方向に大きく形成された第１剥離紙と、前記基体材の第２面に、前記粘着層を挟んで前記基体材と剥離可能に接着された第２剥離紙と、を備え、
前記第２剥離紙を剥がして前記冊子用表紙に接着し、前記第１剥離紙を剥がして、冊子とするために印刷が施された印刷用紙によって形成された折丁を接着することが予定された両面粘着補強材を含む請求項５ないし１３のいずれか１項に記載の冊子用表紙キット。
【発明の詳細な説明】
【技術分野】
【０００１】
本発明は、画像等を印刷した印刷用紙を冊子とするための表紙となる冊子用表紙の作成方法、及び冊子用表紙キットに関する。
【背景技術】
【０００２】
デジタルカメラ等の普及により撮影した電子画像の楽しみ方も広がってきており、画像データをパーソナルコンピュータのモニタ上で鑑賞したり、画像データを編集したりすることが行われている。そしてそのデータは、ハードディスクやコンパクトディスクなどの記録メディアに保存したり、印刷装置により印刷を行ったりしている。またこのような画像データを台紙や専用用紙に印刷し、紙製のアルバムとして製本し、記念に残したり楽しんだりすることができる。このような台紙や専用用紙に直接印刷して製本したものは、写真を貼り付けたアルバムと比べ、オリジナル本の感覚で、画像を楽しむことができる。そしてこのようなアルバムを作成するためには、電子画像データを記録メディアに保存した状態で、特定の業者へ持ち込むか、あるいはインターネットを介してデータを送り、個人アルバムとして製本の依頼を行っている。
【０００３】
しかしこのように、台紙や用紙に直接画像を印刷し製本化するには、専門業者に依頼しなくてはならず、注文の方法が面倒であったり、製本された状態となるまでにかなりの日数を要したりし、手軽に電子画像を紙製のアルバム状態で製本化することができるとは言い難い。一方、画像のみを印刷し、印刷された画像を既製のアルバムに貼り付ける方法ならば個人でも容易に行うことができるが、製本化されたものに比べれば、安価なイメージは否めない。デジタルカメラの普及により手軽に撮影が可能となり、それらの画像を手軽に製本化する方法が望まれていた。
【０００４】
そこで、専門家または個人ユーザが、電子画像を編集し、容易にかつ短時間で冊子として作成できるための印刷用紙、また冊子とするために容易にかつ短時間に取り付け可能な表紙が開示されている（特許文献１）。
【０００５】
【特許文献１】特開２００４−３５８８１０号公報
【発明の開示】
【発明が解決しようとする課題】
【０００６】
しかしながら、表紙は、既製のものであり、ユーザが好みに合わせて作成することはできなかった。
【０００７】
本発明の課題は、専門家または個人ユーザが、電子画像等を編集し、印刷用紙にその電子画像等を印刷した場合に、その印刷された印刷用紙を冊子とするために容易にかつ短時間に取り付け可能で、利便性のある冊子用表紙の作成方法及び冊子用表紙キットを提供することである。
【課題を解決するための手段及び発明の効果】
【０００８】
上記課題を解決するための本発明の冊子用表紙の作成方法は、
裏面に粘着層が形成された表紙用カバーシールと、その表紙用カバーシールの裏面側に粘着層を挟んで表紙用カバーシールと剥離可能に接着され、一方の端辺から他方の端辺に長手方向に沿って形成された少なくとも２つに分離して剥離可能な分断部を有する剥離紙と、を備える表紙用カバーシートと、
冊子の背表紙となる背表紙部材と、その背表紙部材との間に間隙を隔てて隣接する第１表紙部材と、背表紙部材の第１表紙部材と反対側に間隙を隔てて隣接する第２表紙部材と、これら背表紙部材、第１表紙部材、及び第２表紙部材と分離可能にされた枠体とを有する表紙用芯材と、を用意し、
剥離紙の一部を剥がして、表紙用芯材の第１面に表紙用カバーシートを重ねて配置し、第１表紙部材、第２表紙部材、背表紙部材を表紙用カバーシールの粘着層によって粘着させて固定して残余の枠体を外し、さらに残余の剥離紙を剥離した後、表紙用カバーシールによって第１表紙部材、第２表紙部材、及び背表紙部材を被って一体として冊子用表紙とする。
【０００９】
さらに表紙用カバーシートに印刷を施して、その予め印刷が施されている表紙用カバーシートを、剥離紙の一部を剥がして、表紙用芯材の第１面に重ねて配置して冊子用表紙を作成してもよい。或いは、表紙用カバーシートに、手書き等により装飾を施してもよい。
【００１０】
上記方法によれば、ユーザの好みの色や模様等が描かれた表紙用カバーシートを用いて冊子用表紙を作成することができる。表紙用カバーシートの粘着層によって容易に表紙用芯材に貼り付けることができる。
【００１１】
また上記課題を解決するための本発明の冊子用表紙の作成方法は、
両面に粘着層が形成された基体シートと、その基体シートの第１面に、粘着層を挟んで基体シートと剥離可能に接着され、一方の端辺から他方の端辺に長手方向に沿って形成され、少なくとも２つに分離して剥離可能な分断部を有する第１剥離紙と、基体シートの第２面に、粘着層を挟んで基体シートと剥離可能に接着され、一方の端辺から他方の端辺に長手方向に沿って形成され、少なくとも２つに分離して剥離可能な分断部を有する第２剥離紙と、を備える両面粘着シートと、
表紙用カバーと、
冊子の背表紙となる背表紙部材と、その背表紙部材との間に間隙を隔てて隣接する第１表紙部材と、背表紙部材の第１表紙部材と反対側に間隙を隔てて隣接する第２表紙部材と、これら背表紙部材、第１表紙部材、及び第２表紙部材と分離可能にされた枠体とを有する表紙用芯材と、を用意し、
第１剥離紙の一部を剥がして表紙用カバーを基体シートに固定した後、残余の第１剥離紙を剥がして表紙用カバー全体を基体シートに固定し、
その後、又はその前に、第２剥離紙の一部を剥がして、表紙用芯材の第１面に両面粘着シートを重ねて配置し、第１表紙部材、第２表紙部材、背表紙部材を基体シートの粘着層によって粘着させて固定して残余の枠体を外し、
さらに残余の第２剥離紙を剥離して表紙用カバー及び基体シートによって第１表紙部材、第２表紙部材、及び背表紙部材を被って一体として冊子用表紙とする。
【００１２】
上記方法によれば、両面に粘着層が形成されている基体シートを用いることから、表紙用カバーとしてユーザの好みのものを採用し、それを基体シートに貼り付け、さらに、それらを表紙用芯材に貼り付けて容易に冊子用表紙を作成することができる。または、基体シートを表紙用芯材に貼り付けてから表紙用カバーを基体シートに貼り付けてもよい。
【００１３】
また表紙用芯材の第１表紙部材、第２表紙部材、背表紙部材を基体シートの粘着層によって粘着させて固定して残余の枠体を外した後に、表紙用カバー及び基体シートによって第１表紙部材、第２表紙部材、及び背表紙部材を被うために、表紙用カバーと基体シートとを一体としてそれぞれの四隅をカットし、残余の剥離紙を剥離して表紙用カバー及び基体シートによって第１表紙部材、第２表紙部材、及び背表紙部材を被って一体として冊子用表紙とするようにしてもよい。
【００１４】
このように表紙用カバーと基体シートとを一体としてそれぞれの四隅をカットすることにより、表紙用カバーと基体シートとを折り曲げて第１表紙部材、第２表紙部材、及び背表紙部材を被って一体としやすくすることができる。
【００１５】
上記課題を解決するための本発明の冊子用表紙キットは、
表面に印刷が施されることが予定され、裏面に粘着層が形成された表紙用カバーシールと、その表紙用カバーシールの裏面側に粘着層を挟んで表紙用カバーと剥離可能に接着され、一方の端辺から他方の端辺に長手方向に沿って形成され、少なくとも２つに分離して剥離可能な分断部を有する剥離紙と、を備える表紙用カバーシートと、
冊子の背表紙となる背表紙部材と、その背表紙部材との間に間隙を隔てて隣接する第１表紙部材と、背表紙部材の第１表紙部材と反対側に間隙を隔てて隣接する第２表紙部材と、これら背表紙部材、第１表紙部材、及び第２表紙部材と分離可能にされた枠体とを有する表紙用芯材と、を含み、
剥離紙の一部を剥がして、表紙用芯材の第１面に表紙用カバーシートを重ねて配置し、第１表紙部材、第２表紙部材、背表紙部材を表紙用カバーシールの粘着層によって粘着させて固定して残余の枠体を外し、さらに残余の剥離紙を剥離した後、表紙用カバーシールによって第１表紙部材、第２表紙部材、及び背表紙部材を被って一体として冊子用表紙とすることが予定されている。
【００１６】
表紙用カバーシールの表面は、印刷を施すことができるため、例えば、プリンターによって、ユーザが好みの色や模様を印刷することができる。表紙用カバーシールには粘着層が形成されているため、表紙用芯材に容易に貼り付けることができる。表紙用カバーシートの剥離紙が、少なくとも２つに分離して剥離可能な分断部を有することから、一部の粘着層を露出させ、他の粘着層が剥離紙に覆われた状態で、第１表紙部材、第２表紙部材、背表紙部材に表紙用カバーシートを粘着することができる。このようにすると、粘着強度が弱いため、第１表紙部材、第２表紙部材、背表紙部材に対して表紙用カバーシートの位置がずれた場合に、もう一度剥がして貼りなおすことができる。そして表紙用カバーシールによって第１表紙部材、第２表紙部材、背表紙部材を被って一体として冊子用表紙とすることができる。
【００１７】
さらに表紙用カバーシートの剥離紙は、一方の端辺から他方の端辺に長手方向に沿って中央領域に形成された中央帯部と、中央帯部の両側に第１側片部、第２側片部とを有するように構成できる。このように構成することによって、中央帯部を剥がして、第１表紙部材、第２表紙部材、背表紙部材に表紙用カバーシートを粘着させ、表紙用カバーシートが適切な位置に粘着されれば、さらに第１側片部、第２側片部を剥がして、表紙用カバーシールを完全に粘着させることができる。
【００１８】
また、表紙用カバーシートの表紙用カバーシールは、四隅の角部それぞれがカットされているように構成してもよい。このように構成することによって、第１表紙部材、第２表紙部材、及び背表紙部材を被って一体とするために、表紙用カバーシールを折り曲げやすくすることができる。
【００１９】
上記課題を解決するための本発明の冊子用表紙キットは、
両面に粘着層が形成された基体シートと、その基体シートの第１面に、粘着層を挟んで基体シートと剥離可能に接着された第１剥離紙と、基体シートの第２面に、粘着層を挟んで基体シートと剥離可能に接着され、一方の端辺から他方の端辺に長手方向に沿って形成され、少なくとも２つに分離して剥離可能な分断部を有する第２剥離紙と、を備える両面粘着シートと、
冊子の背表紙となる背表紙部材と、その背表紙部材との間に間隙を隔てて隣接する第１表紙部材と、背表紙部材の第１表紙部材と反対側に間隙を隔てて隣接する第２表紙部材と、これら背表紙部材、第１表紙部材、及び第２表紙部材と分離可能にされた枠体とを有する表紙用芯材と、を含み、
第１剥離紙を剥がして表紙用カバーを基体シートに固定し、
その後、又はその前に、第２剥離紙の一部を剥がして、表紙用芯材の第１面に両面粘着シートを重ねて配置し、第１表紙部材、第２表紙部材、背表紙部材を基体シートの粘着層によって粘着させて固定して残余の枠体を外し、
さらに残余の第２剥離紙を剥離して表紙用カバー及び基体シートによって第１表紙部材、第２表紙部材、及び背表紙部材を被って一体として冊子用表紙とすることが予定されている。
【００２０】
上記構成によれば、基体シートに粘着層が形成されているため、第１剥離紙を剥がして、表紙用カバーとしてユーザの好みのもの容易に貼り付けることができる。基体シートには粘着層が形成されているため、表紙用芯材に容易に貼り付けることができる。基体シートの第２剥離紙が、少なくとも２つに分離して剥離可能な分断部を有することから、一部の粘着層を露出させ、他の粘着層が第２剥離紙に覆われた状態で、第１表紙部材、第２表紙部材、背表紙部材に表紙用カバーシートを粘着することができる。このようにすると、粘着強度が弱いため、第１表紙部材、第２表紙部材、背表紙部材に対して表紙用カバーシートの位置がずれた場合に、もう一度剥がして貼りなおすことができる。そして表示用カバーシートと基体シートとを一体として第１表紙部材、第２表紙部材、及び背表紙部材を被い冊子用表紙とすることができる。
【００２１】
上記課題を解決するための本発明の冊子用表紙キットは、
両面に粘着層が形成された基体シートと、その基体シートの第１面に、粘着層を挟んで基体シートと剥離可能に接着され、一方の端辺から他方の端辺に長手方向に沿って形成され、少なくとも２つに分離して剥離可能な分断部を有する第１剥離紙と、基体シートの第２面に、粘着層を挟んで基体シートと剥離可能に接着され、一方の端辺から他方の端辺に長手方向に沿って形成され、少なくとも２つに分離して剥離可能な分断部を有する第２剥離紙と、を備える両面粘着シートと、
冊子の背表紙となる背表紙部材と、その背表紙部材との間に間隙を隔てて隣接する第１表紙部材と、背表紙部材の第１表紙部材と反対側に間隙を隔てて隣接する第２表紙部材と、これら背表紙部材、第１表紙部材、及び第２表紙部材と分離可能にされた枠体とを有する表紙用芯材と、を含み、
第１剥離紙の一部を剥がして表紙用カバーを基体シートに固定した後、残余の第１剥離紙を剥がして表紙用カバー全体を基体シートに固定し、
その後、又はその前に、第２剥離紙の一部を剥がして、表紙用芯材の第１面に両面粘着シートを重ねて配置し、第１表紙部材、第２表紙部材、背表紙部材を基体シートの粘着層によって粘着させて固定して残余の枠体を外し、
さらに残余の第２剥離紙を剥離して表紙用カバー及び基体シートによって第１表紙部材、第２表紙部材、及び背表紙部材を被って一体として冊子用表紙とすることが予定されている。
【００２２】
上記構成によれば、基体シートに粘着層が形成されているため、第１剥離紙を剥がして表紙用カバーとして、ユーザの好みのもの容易に貼り付けることができる。さらに第１剥離紙が少なくとも２つに分離して剥離可能な分断部を有することから、一部の剥離紙を剥がして表紙用カバーを表紙用芯材に貼り付け、貼り付け位置がずれた場合には、剥がして再度貼り付けることができる。そして貼り付け位置に問題がなければ、他の第２剥離紙を剥がして、表紙用カバー全体を基体シートに貼り付けることができる。
【００２３】
そして両面粘着シートの第１剥離紙は、一方の端辺から他方の端辺に長手方向に沿って中央領域に形成された中央帯部と、中央帯部の両側に第１側片部、第２側片部とを有するように構成することができる。
【００２４】
このように構成することによって、中央帯部を剥がして、基体シートに表紙用カバーを粘着させ、表紙用カバーが適切な位置に粘着されれば、さらに第１側片部、第２側片部を剥がして、表紙用カバーを完全に粘着させることができる。
【００２５】
また両面粘着シートの第２剥離紙は、一方の端辺から他方の端辺に長手方向に沿って中央領域に形成された中央帯部と、中央帯部の両側に第１側片部、第２側片部とを有するように構成することもできる。
【００２６】
このように構成することによって、中央帯部を剥がして、第１表紙部材、第２表紙部材、背表紙部材に基体シートを粘着させ、基体シートが適切な位置に粘着されれば、さらに第１側片部、第２側片部を剥がして、表紙用カバーを完全に粘着させることができる。
【００２７】
また冊子用表紙キットには、両面粘着シートに接着されることが予定された表紙用カバーを含むようにしてもよい。例えば、冊子用表紙キットに、複数の表紙カバーをセットにしておけば、ユーザが好みのものを選択して冊子用表紙の作成に用いることができる。
【００２８】
そして両面粘着シートは、四隅の角部に、それぞれの角部をカットするカット線部が形成するようにしてもよい。このように構成することによって、第１表紙部材、第２表紙部材、及び背表紙部材を被って一体とするために、表紙用カバーシールを折り曲げやすくなる。
【００２９】
さらに冊子用表紙キットには、両面に粘着層が形成された基体材と、その基体材の第１面に、粘着層を挟んで基体材と剥離可能に接着され、その基体材よりも長手方向に大きく形成された第１剥離紙と、基体材の第２面に、粘着層を挟んで基体材と剥離可能に接着された第２剥離紙と、を備え、
第２剥離紙を剥がして冊子用表紙に接着し、第１剥離紙を剥がして、冊子とするために印刷が施された印刷用紙によって形成された折丁を接着することが予定された両面粘着補強材を含むようにしてもよい。
【００３０】
このような両面粘着補強材を用いると、冊子とするために印刷が施された印刷用紙によって形成された折丁を強固に接着することができる。
【発明を実施するための最良の形態】
【００３１】
以下図面を参照しつつ本発明の実施の形態について説明する。
【実施例１】
【００３２】
図１に本発明の表紙用カバーシート１を示す。図１（ａ）は、表紙用カバーシート１の表面を示し、表紙用カバーシート１は、裏面に粘着層３（図２参照）を有する表紙用カバーシール２と、粘着層３を挟んで表紙用カバーシール２と剥離可能に接着された剥離紙７とを備える。表紙用カバーシール２の表面は、例えば、インクジェットプリンターによって印刷することが予定された印刷面である。
【００３３】
図１（ｂ）は、表紙用カバーシート１の裏面を示す。表紙用カバーシート１の裏面は、全面が剥離紙７によって形成され、剥離紙７は、一方の端辺１１ａから他方の端辺１１ｂに長手方向に沿って中央領域に形成された中央帯部７ｂと、その中央帯部７ｂの両側にそれぞれ長手方向に沿って第１側片部７ａと、第２側片部７ｃとによって構成される。すなわち、剥離紙７は、３つに分断部である分離線１２ａ,１２ｂによって分離されている。
【００３４】
図２に表紙用カバーシート１の断面図を示す。表紙用カバーシール２の裏面には、粘着層３が形成され、粘着層３を挟んで剥離紙７が接着されている。剥離紙７は、分離線１２ａ,１２ｂによって第１側片部７ａ、中央帯部７ｂ、第２側片部７ｃとに分離されている。
【００３５】
上記構成の表紙用カバーシート１は、表紙用カバーシール２の表面が印刷面４とされ、表紙用カバーシート１を、例えば、インクジェットプリンターに挿入して表紙用カバーシール２に印刷を施すことが可能である。印刷は、一般的なソフトを用いて行うことができる。このため、ユーザは、好みに応じた色や模様のカバーを容易に作成することができる。
【００３６】
次に図３に表紙用芯材２１を示す。表紙用芯材２１は、打ち抜きによって枠体２５と分離可能な状態で、第１表紙部材２２、背表紙部材２３、第２表紙部材２４が、それぞれ所定の間隔を有した状態で、紙によって形成されている。第１表紙部材２２と第２表紙部材２４とは、同一の大きさに形成されており、表表紙と裏表紙とをなすものである。後述するように、第１表紙部材２２、背表紙部材２３、第２表紙部材２４は、冊子用表紙を構成するものであるから、所定以上の強度を有するように、一定以上の厚みを有するものを使用することが望ましい。なお表紙用芯材２１は、紙に限られず、プラスチック、金属等によって形成してもよい。
【００３７】
表紙用カバーシート１と表紙用芯材２１とは、同一の大きさに形成されており、後述するように、表紙用カバーシート１と表紙用芯材２１との貼り合わせの際の位置合わせが容易である。
【００３８】
図４ないし図６を用いて冊子用表紙２０の作成工程を示す。冊子用表紙キットである表紙用カバーシート１と表紙用芯材２１とを用意する。図４（ａ）に示すように、表紙用カバーシート１の表紙用カバーシール２には、印刷等が施されておらず、無地である。この表紙用カバーシート１を、例えば、インクジェットプリンターに挿入して、図４（ｂ）に示すように、表紙用カバーシール２に所望の印刷を施す。または、手書き等によって好みの色、模様等を描いてもよい。次に図４（ｃ）に示すように、表紙用カバーシート１の裏面側の剥離紙７の中央帯部７ｂを剥がす。このようにすることにより中央領域の粘着層３が露出する。
【００３９】
続いて、中央領域の粘着層３が露出した状態で、図５（ａ）に示すように、表紙用カバー１を表紙用芯材２１の第１面２１ａに重ねて配置する。表紙用カバーシート１と表紙用芯材２１とは、同一の大きさに形成されているため、表紙用カバーシート１と表紙用芯材２１との角を合わせると位置決めが容易にできる。露出した粘着層３によって表紙用芯材２１に表紙用カバーシート１が接着されるが、粘着層３は、一部領域のみ露出しているため、表紙用カバーシート１と表紙用芯材２１との位置がずれた場合にも、外して容易に修正することができる。そして位置合わせに問題がなければ、図５（ｂ）に示すように、表紙用芯材２１の第１表紙部材２２、背表紙部材２３、第２表紙部材２４を表紙用カバーシート１の粘着層３によって接着固定した状態で、表紙用芯材２１の枠体２５を第２面２１ｂ側から取り外す。
【００４０】
次に図６（ａ）に示すように、表紙用カバーシート１の剥離紙の第１側片部７ａ及び第２側片部７ｃを剥がして、表紙用芯材２１の第１表紙部材２２、背表紙部材２３、第２表紙部材２４の全面を表紙用カバーシート１の粘着層３によって接着固定する。図６（ｂ）に示すように、表紙用カバーシール２の外周領域を内側へ折り曲げ、図６（ｃ）に示すように、冊子用表紙２０が完成する。なお表紙用表紙用カバーシール２は、四隅の角部２ｋが、それぞれがカットされているため、表紙用カバーシール２の外周領域を内側へ容易に折り曲げることができる。
【００４１】
以上のように、表紙用カバーシート１は、インクジェットプリンター等により好みに着色や装飾を施すことができ、この表紙用カバーシート１を用いて容易に冊子用表紙２０を作成することができる。すなわち、ユーザの好みに合わせた冊子用表紙２０を作成することが可能である。
【実施例２】
【００４２】
次に実施例２について説明する。図７，図８に本発明の両面粘着シート４１を示す。図７（ａ）は、両面粘着シート４１の表面、図７（ｂ）は、両面粘着シート４１の裏面、図８は、両面粘着シート４１の断面を示す。両面粘着シート４１は、両面に粘着層４４，４５を有する基体シート４７と、粘着層４４，４５を挟んで基体シートの表面に第１剥離紙４２、裏面に第２剥離紙４３を備える。
【００４３】
図７（ａ）に示すように、第１剥離紙４２は、一方の端辺４８ａから他方の端辺４８ｂに長手方向に沿って中央領域に形成された中央帯部４２ｂと、その中央帯部４２ｂの両側にそれぞれ長手方向に沿って第１側片部４２ａと、第２側片部４２ｃとによって構成される。すなわち、剥離紙４２は、３片部に分断部である分離線５２ａ,５２ｂによって分離されている。
【００４４】
図７（ｂ）に示すように、両面粘着シート４１の裏面を形成する第２剥離紙４３は、一方の端辺４８ａから他方の端辺４８ｂに長手方向に沿って中央領域に形成された中央帯部４３ｂと、その中央帯部４３ｂの両側にそれぞれ長手方向に沿って第１側片部４３ａと、第２側片部４３ｃとによって構成される。すなわち、第２剥離紙４３は、３部に分離線５３ａ,５３ｂによって分離されている。
【００４５】
両面粘着シート４１の角部４９は、後述するように、両面粘着シートから除去されるためのカット線部４９ｌが形成されている。カット線部４９ｌは、例えば、ミシン目として形成される。
【００４６】
上記構成の両面粘着シート４１は、第１剥離紙４２で覆われた表面が、表紙カバー５８との接着面、第２剥離紙４３で覆われた裏面が、芯材２１との接着面とされる。
【００４７】
図９ないし図１１を用いて冊子用表紙２０の作成工程を示す。冊子用表紙キットである両面粘着シート４１、表紙用カバー５８、及び表紙用芯材２１を用意する。図９（ａ）に示すように、両面粘着シート４１の表面を形成する第１剥離紙４２の中央帯部４２ｂを剥がす。次に図９（ｂ）に示すように、所望の表紙用カバー５８を両面粘着シート４１の表面に重ねて粘着層４４によって固定する。表紙用カバー５８は、冊子として完成すると表紙を飾るものであり、意匠的に好みのものを使用するとよい。例えば、好みの色や図柄のものを使用する。表紙用カバー５８としては、例えば、紙、ビニール、布、革等を利用できる。また表紙用カバー５８は、表紙用芯材２１と同一の大きさのものを使用すると、表紙用芯材２１に対する表紙用カバー５８の位置合わせが行いやすい。粘着層４４は、一部が露出しているだけであるため、両面粘着シート４１と表紙用カバー５８との位置合わせが適切になされなかった場合には、表紙用カバー５８を外して再度位置合わせを行うことが可能である。位置合わせに問題がなければ、図９（ｃ）に示すように、第１剥離紙４２の第１側片部４２ａ及び第２側片部４２ｃを剥がして、表紙用カバー５８を粘着層４４によって両面粘着シート４１の表面に接着固定する。
【００４８】
なお、第１剥離紙４２は、分離線５２ａ，５２ｂを有さず、一枚の剥離紙として両面粘着シート４１を被っていてもよいが、その場合には、剥離紙を剥がすと、粘着層４４の全面が露出するため、表紙用カバー５８の位置合わせが難しく、両面粘着シート４１に対してずれた位置で接着してしまった場合に、剥がして修正することが難しい。そのため、第１剥離紙４２は、少なくとも２つ以上に分離して剥離可能な方がよい。
【００４９】
次に、図１０（ａ）に示すように、両面粘着シート４１の裏面側の剥離紙４３の中央帯部４３ｂを剥がす。これにより中央領域の粘着層４５が露出する。
【００５０】
続いて、中央領域の粘着層４５が露出した状態で、図１０（ｂ）に示すように、両面粘着シート４１を表紙用芯材２１の第１面２１ａに重ねて配置する。ここで使用する表紙用芯材２１は、実施例１で用いたものと同様なものである。露出した粘着層４５によって表紙用芯材２１に両面粘着シート４１が接着される。そして図１０（ｃ）に示すように、表紙用芯材２１の第１表紙部材２２、背表紙部材２３、第２表紙部材２４を両面粘着シート４１の粘着層４５によって接着固定した状態で、表紙用芯材２１の枠体２５を第２面２１ｂ側から取り外す。なお、先に両面粘着シート４１を表紙用芯材２１に貼り付けた後、表紙用カバー５８を貼り付けてもよい。
【００５１】
次に図１１（ａ）に示すように、カット線部４９ｌから角部４９を除去する。これを容易に行うためには、表紙用カバー５８にも同様のカット線部が形成されているとよい。そして図１１（ｂ）に示すように、両面粘着シート４１の第２剥離紙４３の第１側片部４３ａ及び第２側片部４３ｃを剥がして、表紙用芯材２１の第１表紙部材２２、背表紙部材２３、第２表紙部材２４の全面を両面粘着シート４１の粘着層４５によって接着固定する。図１１（ｃ）に示すように、両面粘着シート４１の外周領域を内側へ折り曲げ、図１１（ｄ）に示すように、冊子用表紙２０が完成する。
【００５２】
以上の実施例１又は実施例２において作成した冊子用表紙は、以下の工程によって作成される冊子の表紙として用いることができる。まず、デジタルカメラ等によって撮影された電子画像データの処理、及びその電子画像データの印刷用紙への印刷について説明する。
【００５３】
図１２は、電子画像データを取り込んで、画像処理及び印刷等を行う画像処理装置１００の概要を説明するブロック図である。ＣＰＵ１０２、ＲＯＭ１０３、ＲＡＭ１０４、ＨＤＤ１０５を有するコンピュータ１１２とＩ／Ｏポート１０１を介して、メモリーカード用スロット１０６、スキャナ１０８、モニタ１０９、プリンタ１１０、ＣＤドライブ１１１等の入力機器及び出力機器が接続されて、画像処理装置１００は構成されている。アプリケーションソフトは、ＨＤＤ１０５内に保存されており、起動することによりＲＡＭ１０４内に記憶され動作する。
【００５４】
コンピュータ１１２の電源をＯＮした後、アプリケーションソフトを起動する（図１４のＳ１）。次に、スロット１０６から、メモリーカード１０７に記録されている画像データを読み出し、続いて画像の削除・追加及び編集を行うこととなる。コンピュータ１１２には、メモリーカード用スロット１０６が接続されており、デジタルカメラ等で撮影された編集したい静止画像が入っている例えばスマートメディア等の画像記録媒体をメモリーカード用スロット１０６に挿入し、画像データを読み込む。この時、記録媒体に保存されている画像をすべて読み込む。読み込まれた画像データは、パソコンのモニタ１０９上に表示される。
【００５５】
アプリケーションソフトを起動後、メモリーカード１０７がメモリーカード用スロット１０６に入っているか判断する（Ｓ２）。挿入されていない場合は、Ｓ３でメモリーカード１０７をスロット１０６に挿入する。メモリーカード１０７から画像データを読み込む際には、どのメモリーカード１０７から読み込むかメモリーカード１０７の種類を選択することになる（Ｓ４）。メモリーカード１０７の選択は、アプリケーションソフトにて行う。タッチパネル機能付コンピュータを使用する場合、上記メモリーカード１０７の選択は、選択画面上の対応する位置をユーザが指あるいは専用の支持棒で触れることにより行うことができる。タッチパネル機能が付いていないコンピュータでアプリケーションを操作する場合は、マウスにて該当部分をクリックすることにより行うことができる。
【００５６】
メモリーカード１０７の選択後（Ｓ４）、画像データの読み出しが行われる（Ｓ５）。読み出しが終了すれば、モニタ１０９上に画像が表示される（Ｓ６）。画像データの追加があるかどうか判断し（Ｓ７）、さらに画像データの追加がある場合には、図１３（ａ）の追加ボタン１０９ｄを選択し、前述のＳ３の工程に移る。これにより、新たにスロット１０６に挿入された別のメモリーカード１０７に保存されている画像データが、先に読みこまれた画像データとともに、ＲＡＭ１０４の画像データメモリに一時記録される。そして、追加された画像データに基づく画像が、図１３（ａ）の表示画面１０９ａに、先に読みこまれた画像とともに表示される。
【００５７】
読み込んだ画像の編集を行うことも可能である（Ｓ８）。編集をする場合は、編集したい画像を選択する。選択された画像は、モニタ上に大きく表示される（図１３（ｂ））ので、そこで文字を付けたり、線を引いたりすることができる。また画像に着色処理などを行い、例えばセピア色として画像の雰囲気を変えることもできる（Ｓ９）。
【００５８】
画像の編集の仕方について説明する。図１３（ａ）に示す表示画面において、文字の編集を行いたい画像を選択する。具体的には、表示画面１０９ａの操作フレーム１０９ｂに表示されている編集ボタン１０９ｅを押した後、表示されている画像（１、２、３・・・）から編集したい画像を選択する。編集したい画像の選択が終了すると、図１３（ｂ）に示すように、選択された画像のみが大きく、モニタ１０９の表示画面１０９ａに表示される（図１３（ｂ）は画像１を選択した場合の表示画面１０９ａを示すものである）。そして、画像１に、文字をつける場合には、操作フレーム１０９ｂに表示されている色選択領域１０９ｇにおいて、画像１に合う好みの色を選択し、タッチパネル機能付きコンピュータの場合は、指或いは専用の指示棒により、そうでない場合は、マウスで表示画面の上をなぞって、画像１上に適宜文字を付与する。文字の付与に際しては、線の太さ領域１０９ｉから適当な線の太さを選択したり、消しゴム１０９ｈ等を適宜選択しながら（場合によっては線の色も変えたりしながら）、好みの文字を形成することができる。また、文字だけではなくて、画像に飾り等を付与することもできる。編集が終了したら保存ボタン１０９ｊを選択して、編集操作を終了する。
【００５９】
読み込まれた画像データのうち、不必要な画像データは、削除し除外することができる（Ｓ１０）。不要な画像を削除する場合には、図１３（ａ）に示す表示画面において、操作フレーム１０９ｂ内の削除ボタン１０９ｃを選択したのち、表示画面１０９ａ上で不要な画像を、指あるいは専用の支持棒、またはマウス等により選択することで行うことができる。この選択により不要と判断された画像に対しては、削除されることを示す旨の表示（例えば×マーク等）が表示画面上に付与される。なお、不要と選択された画像を、再度指あるいは専用の支持棒、またはマウス等にて選択することで、画像の削除を取りやめることができる。
【００６０】
さらに、Ｓ１１においては、アルバムとして印刷される画像の印刷の順番を変更することもできる。図１３（ａ）の表示画面１０９ａにおいて、操作フレーム１０９ｂに表示されている順番ボタン（１０９ｆ）を選択し、その後、順番を入れ替える画像を選択する。そして、入れ替える画像を選択している状態で、操作フレーム１０９ｂ内の「前へ」あるいは「次へ」ボタン１０９ｋを適宜選択することにより、選択した画像を表示画面上で移動させ、好みの順番に設定することができる。図１３（ｃ）に２番目の画像を削除し、１番目と３番目の順序を入れ替えた場合の例を示す。
【００６１】
この指定した順番にできあがりのアルバム上で画像が配列するように、画像処理装置であるアプリケーションソフトが、印刷データを作成し、印刷装置にデータを送ることになる。印刷用紙を指定し（Ｓ１２）、さらに画像の外、つまり印刷用紙の画像印刷の余白部分に文字を挿入したり、イラストを挿入したりすることも可能である。これらの装飾を行う場合（Ｓ１３）、Ｓ１４で文字、絵、フレーム（枠）などを挿入する。フレームは、あらかじめアプリケーションソフトに組み込まれており、その中からユーザが選択することにより容易に設定することができる。
【００６２】
以上のように画像の編集作業、印刷する画像の選択、印刷用紙の選択を行った後、アプリケーションソフトに印刷を指示する（Ｓ１５）。アプリケーションソフトは、印刷される画像が、製本する際に、所望の向き、順番、位置になるように決定し、データを印刷装置に送ることになる。
【００６３】
印刷に必要な設定として、印刷用紙の選択、画像の枚数の選択、画像に施すフレームの選択などがあげられる。アプリケーションソフトは選択された用紙、画像の枚数に応じて、どの位置、向きに画像を印刷するべきか設定値をあらかじめ内蔵しており、ユーザは、自分自身で値を詳細に設定したり調整したりする必要はなく、容易に決定できる。
【００６４】
画像データは、上記実施例のようにメモリーカード１０７から読み出されるものだけに限られるものではない。例えば、図１２に示すように、コンピュータ１１２に接続される外部機器として、スキャナ１０８を採用し、このスキャナ１０８により静止画像を静止画像データとして読取り、この静止画像データからアルバムを作成することもできる。具体的には、既にプリント出力（現像）済みの写真の画像をスキャナ１０８により取り込んで、画像データとして利用し、アプリケーション上で編集した後、プリンタで印刷することになる。画像データをスキャナで取り込んだ後の手順については、前述と同様である。またＣＤドライブ１１１にＣＤ等を挿入し、ＣＤ等に保存されている画像を読み込み、これらの画像から同様にアルバムを作成することも可能である。さらにＣＤドライブ１１１の代わりにＤＶＤドライブを備え、ＤＶＤディスクからデータの読み込みや記録をするようにしてもよい。
【００６５】
次に図１５にアルバム冊子を作成するための印刷用紙の実施例を示す。図１５（ａ）は、印刷用紙７１の表面を示す。この印刷用紙７１には、３行４列に同一の大きさの頁領域が並んでいる。また上から１行目と２行目との間で、左から２列目から４列目までと、上から２行目と３行目との間で、左から１列目から３列目までの実線は、切断線７２を表す。そして図に示すように１行４列目の頁領域から順番に番号を付けたとき、１番目と２番目の間には、谷折り線８１、２番目と３番目の間には山折り線８２が形成されている。以下、交互に谷折り線８１と山折り線８２が並んで形成されている。
【００６６】
印刷用紙７１は、Ａ４サイズで１２枚またはそれ以下の画像を印刷することができる。ただしこのサイズに限られるものではない。この用紙には、図１５に示されているように、画像の位置が決まり、また画像の向きも図のように１頁目から４頁目までと９頁目から１２頁目までは、同じ向きとなるが、５頁目から８頁目までは逆向きに印刷される。また印刷の順番も図に示す順序で印刷されることとなる。ユーザはこの印刷形態を選択し、印刷する画像の順番を指定すれば、画像の印刷位置等詳細な設定をする必要はなく、印刷データ作成手段であるアプリケーションソフトが適切な設定データを作成し、印刷手段であるプリンタ１１０へデータを送り、この印刷用紙７１に印刷を行う。
【００６７】
この印刷用紙は、Ａ４サイズで３行４列の１２の頁領域が並んでいる。各頁領域は、正方形で形成されている。各頁領域を正方形（図の辺７５と辺７６を同じ長さにする）または正方形に近い形にすると高級感がでてよい。そして頁領域とされない残余部９８が形成される。
【００６８】
次に図１６を用いて、印刷用紙７１の断面構造と、各列間に形成された山折り線や谷折り線について説明する。印刷用紙７１は、頁領域を有する印字紙（シート）９０の裏面に粘着層９１が形成され、さらに剥離紙９２が貼り付けられている。頁領域を有する印字紙９０としては、写真用光沢紙を使用すると、印刷した際、きれいに仕上げることができる。また比較的厚めの、例えば１８０μｍ以上の厚さのものを使用すると、高級感が出てよい。なお図は、厚み方向が強調されて描かれている。
【００６９】
図１６に示すように谷折り線８１として、ミシン目が入れられている。さらに山折り線８２として、半切断線が形成されている。半切断線は、印字紙９０を深さ方向に、例えば、半分、または２／３程度切断し、残りは切断されずにつながっている。すなわち有底の溝構造となっている。このため、折り曲げがし易い。
【００７０】
なおミシン目が山折り線、半切断線が山折り線であってもよい。細かいマイクロミシンによるミシン目を付けることで、印刷後、マイクロミシン目を山折りにした場合に、マイクロミシン目部分が切れるようにしてもよい。こうすることにより比較的ページ数の多い場合に体裁良く仕上げることができる。
【００７１】
裏面の剥離紙９２を剥がすことにより、表紙や裏面同士を張り合わせることができる。剥離紙９２には、ミシン目３１や半切断線３２に隣接する領域に切れ目である剥離補助形成線８３が形成されており、折り曲げ線部において折り曲げた後、この剥離補助形成線８３の部分から剥離紙９２を容易に剥がすことができる。
【００７２】
粘着層９１を形成する粘着剤は、弱粘性（弱粘力）のものを用いると、再剥離が可能となりよい。特に坪量が１００ｇｒ／ｍ２以上で１８０μｍ以上の厚さの印字紙８０を使用する場合には、粘着度が、１２Ｎ／２５ｍｍ以下の粘着剤を使用すると、貼り合わせの際に貼り合わせ位置がずれてしまった場合、剥離してもう一度接着することができる。
【００７３】
図１５（ｂ）に戻って、印刷用紙７１の裏面を説明する。印刷用紙７１の裏面は、剥離紙９２（図１６参照）によって覆われている。この剥離紙９２には、剥離補助形成線８３が、形成されている。図に示すように谷折り線８１から延びて、斜めに形成されている。そして剥離補助形成線８３と谷折り線８１と、印刷用紙の端辺または切断線７２によって摘み部８４が形成される。剥離補助形成線８３は、剥離紙９２に形成された切れ目で、印字紙９０には、形成されていない。
【００７４】
印刷が終了した後、図１５の印刷用紙７１の実線で表された切断線７２を切断する。切断部７２は、手などにより容易に切断可能に形成されている。点線部分の切断は行わない。点線部分を谷折り、山折りとすることにより、所望の順番で画像が印刷されたアルバム冊子とすることができる。
【００７５】
図１７により切断線における頁領域間の切断について説明する。図１７（ａ）に示すように切断線７２が形成されている。この印刷用紙７１に、画像等を印刷後、図１７（ｂ）に示すように切断線７２において切断する。図１７（ｂ）は、１行目と２行目、２行目と３行目に形成された切断線７２において切断したところである。
【００７６】
続いて図１８（ａ）に示すように印刷用紙７１を、切断した１行目の各頁領域間に形成された山折り線８２と谷折り線８１にしたがって折り曲げる。すなわち頁領域１と頁領域２との境界の谷折り線８１で谷折りにし、頁領域２と頁領域３との境界の山折り線８２で山折りにする。続いて頁領域３と頁領域４との境界の谷折り線８１で谷折りにする。そして図１８（ｂ）に示すように頁領域４と頁領域５との境界の山折り線で山折りにし、以下同様に２行目以降についても、それぞれの線にしたがって折り曲げる。すべての折り曲げ基準線部において折り曲げ、頁領域の裏面の剥離紙９２を剥がして粘着層によって貼り合わせることにより図１８（ｃ）に示すように、折丁とすることができる。
【００７７】
図１９を使って印刷用紙の貼り合わせのために剥離紙を剥がす工程について説明する。図１９（ａ）は、印刷用紙７１の裏面を示す。印刷用紙７１の裏面には、谷折り線８１に対し斜めに剥離補助形成線８３が形成されている。この剥離補助形成線８３は、剥離紙に形成された切れ目（スリット）であり、印刷が施されるシート９０には、切れ目は達していない。頁領域間の折り曲げ線３１を図のように折り曲げると剥離補助形成線８３から剥離紙の摘み部８４が剥離する。そして摘み部８４を指で摘んで図１９（ｂ）の矢印に示す方向に引っ張ることによって剥離紙を剥離することができる。
【００７８】
以上のように折り曲げ線近傍に摘み部８４を形成することによって、折り曲げ線において印刷用紙７１を折り曲げると、摘み部８４の領域が小さく、粘着性が弱いため、摘み部８４が粘着層から剥がれる。これにより剥離紙９２の摘み部８４を摘んで、剥離紙９２を剥がすことができる。摘み部８４の形状は、以上の実施例に限られない。折り曲げ線近傍に形成され、折り曲げによって、粘着層から剥離される形状であればよい。そのためには、摘み部８４は小面積であることが望ましい。大面積であれば、折り曲げに対して十分な粘着力を有するため、印刷用紙を折り曲げても、摘み部８４が剥離されない。
【００７９】
図２０（ａ）に示すように、冊子用表紙２０の印刷用紙貼り付け面側に、両面テープによる補強材（両面粘着補強材）９４を貼付する。補強材９４は、図２０（ｂ）に示すように、両面に粘着層が形成された基体シート９６と、基体シート９６よりも長く形成された第１剥離紙９５と、基体シート９６と同一の長さに形成された第２剥離紙９７によって構成されている。第２剥離紙９７には、図に示すようにスリット９９が形成されて剥がしやすくされており、第２剥離紙９７を剥がして図２０（ａ）に示すように冊子用表紙２０に貼付する。そして補強材９４を貼付すると、第１剥離紙９５の先端部９５ｓが冊子用表紙２０からはみ出るため、第１剥離紙９５を剥がしやすい。このように補強材９４を冊子用表紙２０に貼付した後、印刷用紙７１を貼り付けると、印刷用紙７１と冊子用表紙２０との接着をより強固にすることができる。
【００８０】
図２１（ａ）に前述の工程で完成した冊子用表紙２０の斜視図を示す。表紙２０の表面は、表紙用カバーシール２または表紙用カバー５８によって覆われており、意匠的にもよい。図２１（ｂ）に示すように、折り曲げて束ねられた印刷用紙７１（折丁）を、冊子用表紙２０に貼り付け、図２１（ｃ）に示すように冊子が完成する。
【００８１】
以上に説明したように表紙用カバーシート１と表紙用芯材によって容易にユーザの好みの冊子用表紙を作成することができる。または、両面粘着シート４１、表紙用芯材によっても、ユーザが好みの表紙用カバー５８を使用することにより、好みの冊子用表紙を作成することができる。
【図面の簡単な説明】
【００８２】
【図１】表紙用カバーシートを示す図。
【図２】表紙用カバーシートの断面図。
【図３】表紙用芯材を示す図。
【図４】表紙用カバーシートを用いた冊子用表紙の作成工程を示す図。
【図５】図４に続く作成工程を示す図。
【図６】図５に続く作成工程を示す図。
【図７】両面粘着シートを示す図。
【図８】両面粘着シートの断面図。
【図９】両面粘着シートを用いた冊子用表紙の作成工程を示す図。
【図１０】図９に続く作成工程を示す図。
【図１１】図１０に続く作成工程を示す図。
【図１２】画像処理システムの概略を示す説明図。
【図１３】画像を編集する際の表示画面を示す図。
【図１４】画像を印刷するまでの工程を示すフローチャート。
【図１５】印刷用紙の一実施例を示す図。
【図１６】印刷用紙の断面構造と折り曲げ線を説明する図。
【図１７】印刷後の印刷用紙の組み立て工程を説明する図。
【図１８】図１７に続く組み立て工程を説明する図。
【図１９】剥離紙の剥離について説明する図。
【図２０】補強材を説明する図。
【図２１】冊子用表紙の取り付けについて説明する図。
【符号の説明】
【００８３】
１    表紙用カバーシート
２    表紙用カバーシール
３    粘着層
７    剥離紙
２０    冊子用表紙
２１    表紙用芯材
２２    第１表紙部材
２３    背表紙部材
２４    第２表紙部材
２５    枠体
４１    両面粘着シート
４２    第１剥離紙
４３    第２剥離紙
４４，４５  粘着層
４７    基体シート
４９    角部
５８    表紙用カバー
７１    印刷用紙
９４    補強材
【図１】
2006289649.tif 000003
【図２】
2006289649.tif 000004
【図３】
2006289649.tif 000005
【図４】
2006289649.tif 000006
【図５】
2006289649.tif 000007
【図６】
2006289649.tif 000008
【図７】
2006289649.tif 000009
【図８】
2006289649.tif 000010
【図９】
2006289649.tif 000011
【図１０】
2006289649.tif 000012
【図１１】
2006289649.tif 000013
【図１２】
2006289649.tif 000014
【図１３】
2006289649.tif 000015
【図１４】
2006289649.tif 000016
【図１５】
2006289649.tif 000017
【図１６】
2006289649.tif 000018
【図１７】
2006289649.tif 000019
【図１８】
2006289649.tif 000020
【図１９】
2006289649.tif 000021
【図２０】
2006289649.tif 000022
【図２１】
2006289649.tif 000023